(57)【特許請求の範囲】
【請求項１】
無線による情報を光ファイバで伝送する伝送システムにおいて、
光ファイバ伝送路を通じて送信された光信号を受信し、光／電気変換して、フォトカレントＲＦ信号を生成する光信号受信部と、前記フォトカレントＲＦ信号を復調してベースバンド帯域に周波数変換してベースバンド信号を生成するＲＦ復調部と、前記フォトカレントＲＦ信号から周波数毎のスペクトルを算出し、全帯域中央に位置する周波数のスペクトルから、相互変調歪の歪成分情報を検出する相互変調歪検出部と、前記歪成分情報にもとづき評価関数を演算し、最適光変調度と、変調多値数毎に、光ファイバ伝送路と無線伝送路を含めた全体伝送路容量とを算出する評価関数演算部と、から構成されるＲＦ受信制御部と、前記ベースバンド信号を処理し、送信データを生成し、評価関数演算時に必要なパラメータ値を出力するベースバンド信号処理部と、前記全体伝送路容量の最大値をとる最適変調多値数を決定する最適変調多値数決定部と、前記最適変調多値数を用いて、前記送信データにＲＦ変調を行ってＲＦ変調信号を生成するＲＦ変調部と、から構成されるＲＦ送信制御部と、前記最適光変調度を用いて、前記ＲＦ変調信号の電気／光変換を制御して、ＲＦ変調光信号を生成し送信する光信号送信部と、から構成される伝送装置と、
無線信号を受信する無線受信部と、前記伝送装置で決定された変調多値数でベースバンド信号を変調して端末側ＲＦ変調信号を生成し、無線送信する無線送信部と、から構成される無線端末と、
前記無線端末と無線伝送路で接続し、前記伝送装置と光ファイバ伝送路で接続して、前記無線端末と前記伝送装置間の中継伝送を行う中継装置と、
を有することを特徴とする伝送システム。
【請求項２】
前記相互変調歪検出部は、相互変調歪の前記歪成分情報として、加入者に割り当てた全帯域に対し、全帯域中央の位置の周波数に残留する、３トーンで形成される３次相互変調歪の歪成分情報を検出することを特徴とする請求項１記載の伝送システム。
【請求項３】
前記相互変調歪検出部は、前記フォトカレントＲＦ信号の代わりに、前記ＲＦ変調光信号を電気に変換した電気信号または前記ＲＦ変調信号から、相互変調歪の前記歪成分情報を検出することを特徴とする請求項１記載の伝送システム。
【請求項４】
前記フォトカレントＲＦ信号から、無線伝送路区間のみの変調多値数である無線変調多値数を算出して抽出する無線変調多値数抽出部をさらに有し、前記最適変調多値数決定部は、算出した全体伝送路容量と変調多値数とのテーブルを作成し、最大値となる全体伝送路容量をＣｔmax、前記テーブル上で前記無線変調多値数の値に対応する現在の全体伝送路容量をＣｔｒ、規定劣化量をΔとした場合に、Ｃｔmax−Ｃｔｒ＞Δの場合は、全体伝送路容量Ｃｔmaxに対応する変調多値数を最適変調多値数とし、Ｃｔmax−Ｃｔｒ≦Δの場合は、現在の全体伝送路容量Ｃｔｒに対応する変調多値数を最適変調多値数とすることを特徴とする請求項１記載の伝送システム。
【請求項５】
無線による情報を光ファイバで伝送する伝送装置において、光ファイバ伝送路を通じて送信された光信号を受信し、光／電気変換して、フォトカレントＲＦ信号を生成する光信号受信部と、
前記フォトカレントＲＦ信号を復調してベースバンド帯域に周波数変換してベースバンド信号を生成するＲＦ復調部と、
前記フォトカレントＲＦ信号から周波数毎のスペクトルを算出し、全帯域中央に位置する周波数のスペクトルから、相互変調歪の歪成分情報を検出する相互変調歪検出部と、前記歪成分情報にもとづき評価関数を演算し、最適光変調度と、変調多値数毎に、光ファイバ伝送路と無線伝送路を含めた全体伝送路容量とを算出する評価関数演算部と、から構成されるＲＦ受信制御部と、
前記ベースバンド信号を処理し、送信データを生成し、評価関数演算時に必要なパラメータ値を出力するベースバンド信号処理部と、
前記全体伝送路容量の最大値をとる最適変調多値数を決定する最適変調多値数決定部と、前記最適変調多値数を用いて、前記送信データにＲＦ変調を行ってＲＦ変調信号を生成するＲＦ変調部と、から構成されるＲＦ送信制御部と、
前記最適光変調度を用いて、前記ＲＦ変調信号の電気／光変換を制御して、ＲＦ変調光信号を生成し送信する光信号送信部と、
を有することを特徴とする伝送装置。
【発明の詳細な説明】
【０００１】
【発明の属する技術分野】
本発明は伝送システムに関し、特に無線による情報を光ファイバで伝送する伝送システムに関する。
【０００２】
【従来の技術】
近年、移動通信や固定系無線アクセス通信（ＦＷＡ:Fixed Wireless Access）等の無線系通信の需要が、一般消費者にまで浸透しており、無線系通信加入者数が急速に増加している。このような状況に対し、現在、光ファイバを用いての無線信号情報の伝送技術として、ＲＯＦ（Radio on Fiber）と呼ばれるシステムが注目されている。
【０００３】
図１５はＲＯＦシステムの全体構成を示す図である。ＲＯＦシステム（光ファイバ無線通信システム）１００は、制御局（ＣＳ：Control Station）２００、基地局（ＢＳ：Base Station）３００、無線端末（ＷＴ：Wireless Terminal）４００から構成される。
【０００４】
制御局２００と基地局３００間は、光ファイバ（アップストリーム用とダウンストリーム用がある）で接続し、基地局３００と無線端末４００は、それぞれのアンテナを介して無線で接続する。また、制御局２００は、インターネットなどを含むネットワーク５が接続する。
【０００５】
ＲＯＦのシステムは、光ファイバの広帯域性を利用して、各種サービス固有のＲＦ（Radio Frequency）の信号の情報を、光搬送波に重畳させて、光ファイバを通じて伝送するものであり、複数の異なる波長の光信号を、同一光ファイバ内に伝送することも可能である。
【０００６】
このような、光ファイバ通信と無線通信を融合したＲＯＦシステム１００を用いることにより、異なる周波数の無線サービスを統合して、１本の光ファイバで伝送するマルチサービス無線伝送システムを実現することが可能になる。
【０００７】
一方、従来の無線伝送では、伝送路容量にかかわらず、変調多値数を一定値に固定した方式が主に行われていたが、近年になって、変調多値数を可変に設定して伝送路容量を制御する方式が提案されている。
【０００８】
例えば、「適応変調方式」（小牧省三,「可変容量マイクロ波方式に関する検討」, 電子情報通信学会論文誌B-II, Ｊ 73-B-II, No.10,Oct. 1990）では、無線伝送路区間特性の状況に応じて、無線変調方式を選択し、伝送路容量の増大を図っている。
【０００９】
【発明が解決しようとする課題】
しかし、上記のような従来技術は、基地局〜無線端末間の無線伝送路区間のみを考慮した最適化であり、信号の存在区間が基地局〜無線端末間のみならず、光ファイバを介して制御局の区間まで伸張されるＲＯＦシステム１００に対しては、直接適用することはできない。
【００１０】
一方、伝送系における雑音と干渉で考慮すべきものとして、相互変調がある。これは、非線形な回路に複数の信号が入力したとき、元の信号の周波数とは異なる第３の周波数の信号が生じる現象である。この相互変調により生じる歪成分は、伝送品質を悪化させる。
【００１１】
ＲＯＦシステム１００では、ＲＦ信号を光に変換する場合に、ＬＤ（レーザダイオード）等の非線形回路を用いるため、３次の相互変調歪（ＩＭ３：3rd order Inter Modulation）が発生する。
【００１２】
この３次相互変調歪は、加入者収容数に比例する副搬送波数（サブキャリア数）に依存し、加入者収容数が変化すると、３次相互変調歪の量も同様に変化し、伝送路容量も動的に変化する。このため、特にトラフィックの変化が激しいモバイル系無線伝送では、高品質な伝送が困難になるといった問題があった。
【００１３】
したがって、ＲＯＦシステム１００に対して、変調多値数を可変に設定して伝送路容量（光ファイバ伝送路区間及び無線伝送路区間のトータルの伝送路容量）を最大化して高品質化を図るには、３次相互変調歪の変化に柔軟に対応した最適化制御を施す必要がある。
【００１４】
本発明はこのような点に鑑みてなされたものであり、３次相互変調歪の動的変化に合わせて、最適な変調多値数を決定し、伝送路容量を最大化して、伝送品質の向上を図った伝送システムを提供することを目的とする。
【００１５】
【課題を解決するための手段】
本発明では上記課題を解決するために、図１に示すような、無線による情報を光ファイバで伝送する伝送システム１において、光ファイバ伝送路を通じて送信された光信号を受信し、光／電気変換して、フォトカレントＲＦ信号を生成する光信号受信部２１と、フォトカレントＲＦ信号を復調してベースバンド帯域に周波数変換してベースバンド信号を生成するＲＦ復調部２２と、フォトカレントＲＦ信号から周波数毎のスペクトルを算出し、全帯域中央に位置する周波数のスペクトルから、相互変調歪の歪成分情報を検出する相互変調歪検出部２３ａと、歪成分情報にもとづき評価関数を演算し、最適光変調度ｍoptと、変調多値数毎に、光ファイバ伝送路と無線伝送路を含めた全体伝送路容量Ｃｔとを算出する評価関数演算部２３ｂと、から構成されるＲＦ受信制御部２３と、ベースバンド信号を処理し、送信データを生成し、評価関数演算時に必要なパラメータ値を出力するベースバンド信号処理部２４と、全体伝送路容量Ｃｔの最大値をとる最適変調多値数を決定する最適変調多値数決定部２５ａと、最適変調多値数を用いて、送信データにＲＦ変調を行ってＲＦ変調信号を生成するＲＦ変調部２５ｂと、から構成されるＲＦ送信制御部２５と、最適光変調度ｍoptを用いて、ＲＦ変調信号の電気／光変換を制御して、ＲＦ変調光信号を生成し送信する光信号送信部２６と、から構成される伝送装置２０と、無線信号を受信する無線受信部４１と、伝送装置２０で決定された変調多値数でベースバンド信号を変調して端末側ＲＦ変調信号を生成し、無線送信する無線送信部４２と、から構成される無線端末４と、無線端末４と無線伝送路で接続し、伝送装置２０と光ファイバ伝送路で接続して、無線端末４と伝送装置２０間の中継伝送を行う中継装置３０と、を有することを特徴とする伝送システム１が提供される。
【００１６】
ここで、光信号受信部２１は、光ファイバ伝送路を通じて送信された信号を受信し、光／電気変換して、フォトカレントＲＦ信号を生成する。ＲＦ復調部２２は、フォトカレントＲＦ信号を復調してベースバンド帯域に周波数変換してベースバンド信号を生成する。相互変調歪検出部２３ａは、フォトカレントＲＦ信号から周波数毎のスペクトルを算出し、全帯域中央に位置する周波数のスペクトルから、相互変調歪の歪成分情報を検出する。評価関数演算部２３ｂは、歪成分情報にもとづき評価関数を演算し、最適光変調度ｍoptと、変調多値数毎に、光ファイバ伝送路と無線伝送路を含めた全体伝送路容量Ｃｔとを算出する。ベースバンド信号処理部２４は、ベースバンド信号を処理し、送信データを生成し、評価関数演算時に必要なパラメータ値を出力する。最適変調多値数決定部２５ａは、全体伝送路容量Ｃｔの最大値をとる最適変調多値数を決定する。ＲＦ変調部２５ｂは、最適変調多値数を用いて、送信データにＲＦ変調を行ってＲＦ変調信号を生成する。光信号送信部２６は、最適光変調度ｍoptを用いて、ＲＦ変調信号の電気／光変換を制御して、ＲＦ変調光信号を生成し送信する。無線受信部４１は、無線信号を受信する。無線送信部４２は、伝送装置２０で決定された変調多値数でベースバンド信号を変調して端末側ＲＦ変調信号を生成し、無線送信する。中継装置３０は、無線端末４と無線伝送路で接続し、伝送装置２０と光ファイバ伝送路で接続して、無線端末４と伝送装置２０間の中継伝送を行う。
【００１７】
【発明の実施の形態】
以下、本発明の実施の形態を図面を参照して説明する。図１は本発明の伝送システムの原理図である。伝送システム１は、無線で伝送される情報を光ファイバにより伝送するＲＯＦシステムであり、伝送装置２０を含む制御局２、中継装置３０を含む基地局３、無線端末４から構成される。
【００１８】
制御局２と基地局３間は、アップストリーム用とダウンストリーム用の光ファイバで接続し、基地局３と無線端末４は無線で接続する。さらに、制御局２には、インターネットなどを含むネットワーク５が接続する。
【００１９】
伝送装置２０は、光信号受信部２１、ＲＦ復調部２２、ＲＦ受信制御部２３、ベースバンド信号処理部２４、ＲＦ送信制御部２５、光信号送信部２６から構成される。
【００２０】
光信号受信部２１は、光ファイバ伝送路を通じて送信されたアップストリームの光信号を受信し、光／電気（以下、Ｏ／Ｅ）変換して、フォトカレントＲＦ信号を生成する。
【００２１】
ＲＦ復調部２２は、フォトカレントＲＦ信号を復調して，ベースバンド帯域に周波数変換し，ベースバンド信号を生成する。
ＲＦ受信制御部２３は、相互変調歪検出部２３ａと評価関数演算部２３ｂを含む。相互変調歪検出部２３ａは、フォトカレントＲＦ信号から周波数毎のスペクトルを算出し、全帯域中央に位置する周波数のスペクトルから、相互変調歪の歪成分情報を検出する。
【００２２】
なお、本発明のシステムでは、全帯域中央に位置する周波数には、加入者は割り当てないことにする。また、本発明では、相互変調歪として、３次の相互変調歪を対象にするため、以降では相互変調歪をＩＭ３と呼ぶ。
【００２３】
評価関数演算部２３ｂは、ＩＭ３の歪成分情報にもとづき、評価関数を演算し、最適光変調度ｍoptと、変調多値数毎に、光ファイバ伝送路と無線伝送路を含めた全体伝送路容量Ｃｔとを算出する。評価関数及び算出方法の詳細については後述する。
【００２４】
ベースバンド信号処理部２４は、ベースバンド信号を処理し、送信データを生成し、評価関数演算時に必要なパラメータ値を出力する。
ＲＦ送信制御部２５は、最適変調多値数決定部２５ａとＲＦ変調部２５ｂを含む。最適変調多値数決定部２５ａは、全体伝送路容量Ｃｔの最大値をとる最適変調多値数（ＱＡＭのディジタル変調多値数の最適値）を決定する。すなわち、変調多値数毎に算出された複数の全体伝送路容量Ｃｔの中で、最大の値をとる全体伝送路容量（Ｃｔmaxとする）に対応する変調多値数を最適変調多値数とする。
【００２５】
ＲＦ変調部２５ｂは、最適変調多値数を用いて、送信データにＲＦ変調を行ってＲＦ変調信号を生成する。
光信号送信部２６は、最適光変調度ｍoptを用いて、ＲＦ変調信号の電気／光（以下、Ｅ／Ｏ）変換を制御して、ＲＦ変調光信号を生成し、ダウンストリーム側の光ファイバを通じて送信する。
【００２６】
無線端末４に対し、無線受信部４１は、無線信号を受信する。無線送信部４２は、伝送装置２０で決定された変調多値数（最適変調多値数）でベースバンド信号を変調して、端末側ＲＦ変調信号を生成し、無線送信する。
【００２７】
中継装置３０は、無線端末４と無線伝送路で接続し、伝送装置２０と光ファイバ伝送路で接続する。そして、無線端末４と伝送装置２０間の中継伝送を行う。次にＩＭ３について説明する。いま、周波数ｆ1とｆ2の信号を非線形回路に入力したときに発生する相互変調波の周波数ｆiは、｜ｍ・ｆ1±ｎ・ｆ2｜（ｍ、ｎは正の整数）となり、ｍ＋ｎを相互変調波の次数と呼ぶ。ＩＭ３は、ｍ＋ｎ＝３の相互変調波である。
【００２８】
図２はサブキャリアに対するＩＭ３の発生イメージを示す図である。縦軸は電力、横軸は周波数である。ここで、サブキャリア数をＮｃとして、Ｎｃ＝３の場合について考える。さらに、サブキャリアそれぞれの周波数をｆ1、ｆ2、ｆ3とし、１サブキャリア当たりの帯域幅をＢＷとする。
【００２９】
ＩＭ３の相互変調波Ｉ１〜Ｉ３に対し、相互変調波Ｉ１の周波数は２ｆ2−ｆ3、相互変調波Ｉ２の周波数はｆ1−ｆ2＋ｆ3、相互変調波Ｉ３の周波数は２ｆ2−ｆ1となる（いずれもｍ＋ｎ＝３である）。
【００３０】
また、２波の信号から生成されるＩＭ３を２トーン（tone）ＩＭ３、３波の信号から生成されるＩＭ３を３トーンＩＭ３と呼ぶ。相互変調波Ｉ１、Ｉ３は２トーンＩＭ３、相互変調波Ｉ２は３トーンＩＭ３である。
【００３１】
図からわかるように、３トーンＩＭ３は、全帯域の中央部に発生し、２トーンＩＭ３に比べ、電力スペクトル値は大きくなる（２倍近くなる）。また、サブキャリア数（加入者数）が増加するにつれて、全帯域中央部の３トーンＩＭ３の電力スペクトル値は高くなる。このため、ＩＭ３の情報を抽出する際には、最悪時の評価として、加入者に割り当てた全帯域の中央に発生する、３トーンＩＭ３について考慮すればよい。
【００３２】
なお、本発明のシステムでは、加入者に割り当てている全帯域の中央の周波数ｆｍ（＝（ｆ1＋ｆNc）／２）には、加入者を割り当てないようにするので、この周波数位置には、サブキャリアは存在しない。したがって、周波数ｆｍに残留している成分の電力スペクトル値は、ＩＭ３の電力スペクトル値とみなすことができる。このＩＭ３の電力スペクトル値は、後述の式（４ａ）で算出されるＤに相当し、歪成分情報に該当する。
【００３３】
次にＩＭ３の算出方法と、評価関数における伝送路容量及び最適光変調度ｍoptの算出方法について説明する。無線伝送路における伝送路容量Ｃｒを算出するための評価関数は、式（１）である。
【００３４】
【数１】
0003798314.tif 000002
【００３５】
ただし、２ｎは変調多値数である。具体的には、ＱＡＭ（Quadrature Amplitude Modulation）の変調多値数として２ｎ＝４、１６、６４、２５６である。Ｎｃはサブキャリア（副搬送波）数（∝加入者端末数）である。ＢＷは無線伝送路区間の１サブキャリア当たりの信号帯域幅（単位はＨｚ）である。
【００３６】
一方、光伝送路における伝送路容量Ｃoptを算出するための評価関数は、式（２）である。
【００３７】
【数２】
0003798314.tif 000003
【００３８】
ただし、ＢＷmaxは、ＩＭ３またはＬＤ相対雑音強度密度により劣化を受けた光ファイバ伝送路区間での１サブキャリア当たりの信号帯域幅の上限値である。Ｉphは、フォトカレントＲＦ信号の電流値である。Ｎａは、光ファイバ伝送路区間雑音電力であり、以下の式（３）より求まる。
【００３９】
【数３】
0003798314.tif 000004
【００４０】
式（３）中のＲＩＮはＬＤ相対雑音強度密度、ｅは電荷量、<Ｉth2>は入力等化雑音電流密度（受信回路の熱雑音）である。
また、式（２）中のＤは、ＩＭ３の電力スペクトル値であり、ＬＤ入出力非線形特性曲線の３次係数（ＩＭ３の係数）ａ3とＮｃとの関数として、式（４ａ）より求まる。
【００４１】
【数４】
0003798314.tif 000005
【００４２】
式（４ａ）中のｒは、Ｎｃが偶数のときは、ｒ＝Ｎｃ／２であり、Ｎｃが奇数のときは、ｒ＝（Ｎｃ／２）＋１である。また、Ｄ2（Ｎｃ，ｒ）は式（４ｂ）、Ｄ3（Ｎｃ，ｒ）は式（４ｃ）で求まる（Ｎｃをｋ、ｒをｉとおく）。さらに、式（２）中のγはＱＡＭ変調において規定誤り率を達成するための所要ＣＮＲ（Carrier Noise Ratio）である。
【００４３】
ここで、光信号送信部２６内部のＥ／Ｏ変換部（ＬＤに該当）における光変調度ｍ（変調光振幅をＬＤ平均出力光パワーで割り算した値と同値）が、以下の式（５）の最適光変調度ｍoptに調整されていることが、光ファイバ伝送路容量Ｃopt算出の必要条件となる。
【００４４】
【数５】
0003798314.tif 000006
【００４５】
そして、光ファイバ伝送路と無線伝送路を含めたトータルの伝送路容量である全体伝送路容量Ｃｔを算出するための評価関数は、式（６）である。すなわち、無線伝送路容量Ｃｒと光ファイバ伝送路容量Ｃoptのいずれか小さい方が、全体伝送路容量Ｃｔとなる。ｍｉｎ（Ａ，Ｂ）はＡ、Ｂのうちの小さい方を意味する。
【００４６】
【数６】
0003798314.tif 000007
【００４７】
上記に示したような式を用いて、相互変調歪検出部２３ａ及び評価関数演算部２３ｂは、ＩＭ３の電力スペクトル値Ｄ、全体伝送路容量Ｃｔ、最適光変調度ｍoptを算出する。なお、計算に必要な各種パラメータ値は、ベースバンド信号処理部２４から渡される。
【００４８】
次に無線伝送路容量Ｃｒ、光ファイバ伝送路容量Ｃopt、全体伝送路容量Ｃｔの関係について説明する。図３は伝送路容量と変調多値数の関係を示す図である。縦軸は伝送路容量（ｂ／ｓ）、横軸はＱＡＭのディジタル変調多値数２ｎを示す。
【００４９】
式（１）から、無線伝送路容量Ｃｒは、無線信号帯域ＢＷとサブキャリア数Ｎｃと変調多値数２ｎとに単純比例して、増加することがわかる（図３の曲線（ａ））。
【００５０】
一方、式（２）から、光伝送路容量Ｃoptでは、無線伝送路の場合とは逆に、Ｎｃ及び変調多値数２ｎに対して逆比例して、劣化することがわかる（図３の曲線（ｂ））。これは、変調多値数増加による伝送路容量増加の比率に対して、光伝送路区間で発生するＩＭ３の電力（＝Ｄ）に起因する伝送路容量の劣化比率が上回るためである。また、光ファイバ伝送路容量Ｃoptは、光信号送信部２６のＥ／Ｏ変換部の光変調度ｍにも依存し、最適光変調度ｍoptのときに最大値をとる。
【００５１】
ＲＯＦシステムでは、無線及び光ファイバ両伝送路に、ＲＦ変調信号の同一の情報が通ることから、無線伝送路区間及び光ファイバ伝送路区間のトータルの全体伝送路容量Ｃｔは、ＣｒとＣoptとの最小値で制限されることになる（図３の曲線（ｃ））。
【００５２】
ここで例えば、システム設計時に変調方式を２５６ＱＡＭを採用しようとしても、全体伝送路容量を最大とする最適の変調多値数は、図に示すトレードオフ関係により、２５６ではなく６４であることがわかる。したがって、従来の固定の変調方式によるシステム設計では、当初の所望の伝送路容量を実現することはできず、高品質な伝送が維持できなかった。
【００５３】
本発明では、ＩＭ３量の動的変化に合わせ、光ファイバ伝送路区間及び無線伝送路区間の全体伝送路容量Ｃｔが最大となる最適なディジタル変調方式を選択することにより、高い伝送品質を有するＲＯＦシステムを実現するものである。
【００５４】
次に伝送装置２０の動作について詳しく説明する（第１の実施の形態とする）。図４は第１の実施の形態の伝送装置の動作を説明するための図である。以下のステップＳ１〜Ｓ５はアップストリーム側の処理、ステップＳ６〜ステップＳ８はダウンストリーム側の処理である。なお、伝送装置２０−１の構成は、図１と同様なので構成の説明は省略する。
【００５５】
〔Ｓ１〕基地局３から制御局２へ向けて送出された光信号Ｐoutは、光ファイバ伝送路を通じて光損失を生じ、光信号Ｐａとして制御局２へ到達する。光ファイバロスをＦloss、光信号Ｐoutの光パワーをＰｗとすると、光信号Ｐａの光パワーＰｗａは、Ｐｗａ＝Ｐｗ／Ｆlossである。
【００５６】
〔Ｓ２〕光信号受信部２１は、光信号Ｐａを受信して、Ｏ／Ｅ変換し、フォトカレントＲＦ信号を生成する。フォトカレントＲＦ信号の電流値Ｉphは、Ｉph＝ηPD・Ｐｗａ＝ηPD・Ｐｗ／Ｆlossである。なお、ηPDは、光信号受信部２１の受光感度であり、一般的にはＯ／Ｅ変換の割合を示す。単位はＡ／Ｗである。
【００５７】
〔Ｓ３〕相互変調歪検出部２３ａは、フォトカレントＲＦ信号に対して、周波数スペクトル演算を施して、各サブキャリアの周波数のスペクトル値を算出する。そして、加入者に割り当てている全帯域（Ｎｃ×ＢＷ）の中央の周波数ｆｍ（＝(ｆ１+ｆNc)／２）の周波数成分を抽出する。
【００５８】
ここの周波数位置では、上述したように、加入者を割り当てていないため、サブキャリアは存在しない。したがって、ｆｍに残留している成分の電力スペクトル値を、ＩＭ３の電力スペクトル値として式（４ａ）により求める。
【００５９】
〔Ｓ４〕評価関数演算部２３ｂは、ベースバンド信号処理部２４から渡されるパラメータ値を用いて、式（１）、式（２）、式（５）から、ＱＡＭの変調多値数２ｎ＝４、１６、６４、２５６の各場合に対応する全体伝送路容量Ｃｔを計算する。また、式（５）より、最適光変調度ｍoptを計算する。
【００６０】
そして、評価関数演算部２３ｂは、変調多値数２ｎに対する全体伝送路容量Ｃｔの各値と、最適光変調度ｍoptの値とを、一時的に保持する。そして、変調多値数２ｎに対する全体伝送路容量Ｃｔの各値は、最適変調多値数決定部２５ａへ送信し、最適光変調度ｍoptは光信号送信部２６へ送信する。
【００６１】
〔Ｓ５〕ＲＦ復調部２２は、フォトカレントＲＦ信号を多値ＱＡＭ復調して、無線端末４からのベースバンド信号ｑ１ａ(t)、ｑ２ａ(t)、…を抽出し、ベースバンド信号処理部２４へ送信する。
【００６２】
〔Ｓ６〕最適変調多値数決定部２５ａは、変調多値数２ｎと全体伝送路容量Ｃｔの対応テーブルを作成し、全体伝送路容量Ｃｔの中の最大の全体伝送路容量Ｃｔmaxに対応する変調多値数（最適変調多値数）を選び出す。
【００６３】
〔Ｓ７〕ＲＦ変調部２５ｂは、ベースバンド信号処理部２４からの各加入者端末に割り当てているベースバンドの送信データｑ１（ｔ）、ｑ２（ｔ）、…ｑＮｃ（ｔ）に、サブキャリア周波数ｆ1、ｆ2、ｆ3、…、ｆNcを割り振り、さらにこれらに最適変調多値数によるディジタル多値ＱＡＭ変調を施してＲＦ変調信号ｒ１（ｔ）、ｒ２（ｔ）、ｒ３（ｔ）、…、ｒＮｃ（ｔ）を生成し出力する。
【００６４】
〔Ｓ８〕光信号送信部２６は、ＲＦ変調信号の電流和ν(t)=Σ[ｒｉ(t)・ｃｏｓ２πｆi]に直流バイアス電流Ｉｂを加え、光変調度の調整を行う。この際、最適光変調度ｍoptにより、ｍopt＝|ν|／(Ｉｂ−Ｉth)となるように（ＩthはＬＤのしきい値電流値）、Ｉｂを調整後、光信号送信部２６内部のＥ／Ｏ変換部の駆動電流としてＩｂ＋ν(t)を出力する。
【００６５】
そして、光信号送信部２６内部のＥ／Ｏ変換部は、電流Ｉｂ＋ν(t)で駆動され、最適光変調度ｍoptに維持されたＲＦ光変調信号が出力する。この光信号は、光ファイバ伝送路→基地局３→無線伝送路→無線端末４の順に送信されることになる。
【００６６】
ここで、ＬＤ入出力特性曲線にもとづき、式（４ａ）にでてきたａ3について説明する。図５はＬＤ入出力特性曲線を示す図である。縦軸はＬＤの出力光パワー、横軸はＬＤの駆動電流Ｉである。
【００６７】
出力光パワーＰは、ＲＦ変調光信号のパワーを指しており、電流Ｉ0を中心とする変調駆動電流信号により、ＬＤが動作して、ＲＦ変調光信号が生成する。
ＬＤの出力光パワーは、ＬＤしきい値電流Ｉth以上での動作領域において，理想的には線形出力であるが、ＬＤのＩ-Ｌ特性の電界分布不均一性や、注入キャリアと光子間の相互作用に起因する非線形現象により、実際には非線形な出力となる。このとき出力光パワーの変調周波成分を次数毎に、べき級数展開で近似すると式（７）となる。
【００６８】
【数７】
Ｐ＝Ｐ0（１＋ａ1・ν＋ａ2・ν2＋ａ3・ν3＋…）              …（７）
この式で２次以上（ａ2・ν2の項以上）はすべて非線形成分となる。また、各係数ａ1、ａ2、ａ3、…は、各変調成分の強度（振幅）を表している（正確には各々Ｐ0倍した値が実際の強度である）。式（４ａ）のａ3は、この式（７）中のａ3に該当するものである。
【００６９】
次に第２の実施の形態の伝送装置について説明する。図６は第２の実施の形態の伝送装置の構成を示す図である。伝送装置２０−２では、相互変調歪検出部２３ａが、フォトカレントＲＦ信号からＩＭ３を検出するのではなく、光信号送信部２６で生成されたＲＦ変調光信号を再度、電気に変換した電気信号Ｅ１を受信して、この電気信号Ｅ１からＩＭ３を検出するものである（光信号送信部２６内部にあるＬＤ等の非線形性回路により生じるＩＭ３を検出している）。なお、その他の構成及び動作については第１の実施の形態と同様なので説明は省略する。
【００７０】
次に第３の実施の形態の伝送装置について説明する。図７は第３の実施の形態の伝送装置の構成を示す図である。伝送装置２０−３では、相互変調歪検出部２３ａが、フォトカレントＲＦ信号からＩＭ３を検出するのではなく、ＲＦ変調部２５ｂで生成されたＲＦ変調信号（図では符号をＥ２とした）を受信して、この信号Ｅ２からＩＭ３を検出するものである（ＲＦ変調部２５ｂ内部にある非線形性回路により生じるＩＭ３を検出している）。なお、その他の構成及び動作については第１の実施の形態と同様なので説明は省略する。
【００７１】
次に第４の実施の形態の伝送装置について説明する。図８は第４の実施の形態の伝送装置の構成を示す図である。伝送装置２０−４は、第１の実施の形態に対するあらたな構成要素として、無線変調多値数抽出部２３ｃがＲＦ受信制御部２３に設けられる。
【００７２】
無線変調多値数抽出部２３ｃは、フォトカレントＲＦ信号から、無線伝送路区間のみの変調多値数である無線変調多値数を算出して抽出するもので、抽出された無線変調多値数は、最適変調多値数決定部２５ａへ送信される。
【００７３】
一方、最適変調多値数決定部２５ａでは、変調多値数と、各変調多値数により算出された全体伝送路容量Ｃｔとの対応テーブルを有しており、この対応テーブル上で現在の無線変調多値数の値に対応する全体伝送路容量をＣｔｒ、あらかじめ設定してある規定劣化量をΔとした場合に、Ｃｔmax−Ｃｔｒ＞Δの場合は、最大値の全体伝送路容量Ｃｔmaxに対応する変調多値数をテーブルから選択して、これを最適変調多値数とし、Ｃｔmax−Ｃｔｒ≦Δの場合は、現在の全体伝送路容量Ｃｔｒに対応する変調多値数をテーブルから選択して、これを最適変調多値数とする。
【００７４】
このような制御を行う理由は、ＣｔmaxとＣｔｒの差分が小さい場合にも、変調方式を頻繁に変化させると、制御局２〜無線端末４間で、変調方式が確立するまでの時間がかかり、回線通信品質を維持できなくなるからである。品質維持のためには、制御に要するオーバヘッド時間を短縮することが必要である。したがって、第４の実施の形態では、伝送路容量に対する劣化量が規定値を超えた場合に、変調方式を切り替えることにして、オーバヘッド時間を短縮するものである。
【００７５】
次に無線端末４について説明する。図９は無線端末４の構成を示す図である。無線端末４は、無線受信部４１、無線送信部４２、端末側ベースバンド信号処理部４３から構成される。無線受信部４１は、端末側ＲＦ復調部４１ａ、最適変調多値数検出部４１ｂを含み、無線送信部４２は端末側ＲＦ変調部４２ａを含む。
【００７６】
〔Ｓ１１〕制御局２から送信されたＲＦ変調光信号は、基地局３で無線信号となり、無線端末４のアンテナ(図示せず)を通じて受信される。無線端末４の端末側ＲＦ復調部４１ａは、受信信号を復調してベースバンド信号を生成し、これを端末側ベースバンド信号処理部４３へ送信する。
【００７７】
〔Ｓ１２〕最適変調多値数検出部４１ｂは、制御局２内の伝送装置２０で設定された最適変調多値数を検出する。
〔Ｓ１３〕端末側ベースバンド信号処理部４３は、ベースバンド信号を処理する。
【００７８】
〔Ｓ１４〕端末側ＲＦ変調部４２ａは、端末側ベースバンド信号処理部４３で処理されたベースバンド信号を、最適変調多値数検出部４１ｂで検出された最適変調多値数で変調し、ＲＦ変調信号（端末側ＲＦ変調信号）を生成する。そして、端末側ＲＦ変調信号は、アンテナを通じて基地局３へ無線で送出される。また、この無線信号は、基地局３で光信号に変換されて制御局２へ送信される。
【００７９】
次に第１の実施の形態の伝送装置２０−１に関する具体的な構成例及び動作について説明する。図１０は第１の実施の形態の伝送装置２０−１の構成例を示す図である。
【００８０】
ＰＩＮフォトダイオード２１ａは、光信号受信部２１に該当し、ＲＦ直交復調回路２２ａは、ＲＦ復調部２２に該当する。相互変調歪検出部２３ａは、ＦＦＴ（Fast Fourier Transform）演算処理回路２３ａ−１、ＩＭ３成分計算処理回路２３ａ−２を含む。評価関数演算部２３ｂは、伝送路容量計算処理回路２３ｂ−１、最適光変調度計算処理回路２３ｂ−２、パラメータ格納メモリ２３ｂ−３、レジスタ２３ｂ−１ａ、２３ｂ−２ａを含む。
【００８１】
また、最適変調多値数決定部２５ａは、対応テーブル格納メモリ２５ａ−１、セレクタ２５ａ−２を含み、多値ＱＡＭ変調回路２５ｂ−１は、ＲＦ変調部２５ｂに該当する。さらに、光信号送信部２６は、バイアス電流調整回路２６ａ、バイアス印加部２６ｂ、Ｅ／Ｏ変換を行うＬＤ２６ｃを含む。
【００８２】
ここで、ＰＩＮフォトダイオード２１ａは、受信光信号のＯ／Ｅ変換を行う。ＦＦＴ演算処理回路２３ａ−１は、受信電気信号を高速フーリエ変換演算し、周波数スペクトル成分を算出する。ＩＭ３成分計算処理回路２３ａ−２は、全帯域中央の周波数ｆｍに関するＩＭ３の電力スペクトル値Ｄを算出する。
【００８３】
伝送路容量計算処理回路２３ｂ−１は，電力スペクトル値Ｄをもとに、ＱＡＭ変調多値数に対する全体伝送路容量Ｃｔを算出する。最適光変調度計算処理回路２３ｂ−２は、電力スペクトル値Ｄをもとに、最適光変調度ｍoptを算出する。パラメータ格納メモリ２３ｂ−３は、ベースバンド信号処理部２４から渡された計算に必要な各種パラメータを格納し、伝送路容量計算処理回路２３ｂ−１及び最適光変調度計算処理回路２３ｂ−２に出力する。
【００８４】
レジスタ２３ｂ−１ａは、伝送路容量計算処理回路２３ｂ−１の計算結果を保持し、レジスタ２３ｂ−２ａは、最適光変調度計算処理回路２３ｂ−２の計算結果を保持する。
【００８５】
ＲＦ直交復調回路２２ａは、２ｎ値のＱＡＭ変調されている受信電気信号を直交復調し、ベースバンド信号を生成し、ベースバンド信号処理部２４へ送信する。
【００８６】
対応テーブル格納メモリ２５ａ−１は、レジスタ２３ｂ−１ａで保持された全体伝送路容量Ｃｔを受け取り、変調多値数と全体伝送路容量Ｃｔとの対応テーブルを記憶する。
【００８７】
セレクタ２５ａ−２は、対応テーブルの中で、最大となる全体伝送路容量Ｃｔmaxを選び出し、それに相当する最適変調多値数を多値ＱＡＭ変調回路２５ｂ−１へ出力する。多値ＱＡＭ変調回路２５ｂ−１は、ベースバンド信号処理部２４から送信された送信データを、最適変調多値数で変調してＲＦ変調信号を生成する。
【００８８】
バイアス電流調整回路２６ａは、最適光変調度ｍoptにもとづいて、このｍoptを維持できるようにバイアス電流値を調整する。バイアス印加部２６ｂは、ＲＦ変調信号にバイアス電流を印加してＬＤ駆動信号を生成する。ＬＤ２６ｃは、ＬＤ駆動信号にもとづきＲＦ光変調信号を生成し送信する。
【００８９】
次に第２の実施の形態の伝送装置２０−２に関する具体的な構成例及び動作について説明する。図１１は第２の実施の形態の伝送装置２０−２の構成例を示す図である。
【００９０】
伝送装置２０−２は、図１０で上述した伝送装置２０−１の光信号送信部２６内部に、あらたにモニタ用フォトダイオード（モニタ用ＰＤ）２６ｄが設置される。モニタ用ＰＤ２６ｄの出力信号Ｅ１は、ＦＦＴ演算処理回路２３ａ−１へ入力して、その後、ＩＭ３の検出が行われる。その他の構成及び動作は、第１の実施の形態と同様なので説明は省略する。
【００９１】
次に第３の実施の形態の伝送装置２０−３に関する具体的な構成例及び動作について説明する。図１２は第３の実施の形態の伝送装置２０−３の構成例を示す図である。
【００９２】
伝送装置２０−３は、図１０で上述した伝送装置２０−１に対し、多値ＱＡＭ変調回路２５ｂ−１の出力信号Ｅ２を、ＦＦＴ演算処理回路２３ａ−１へ入力する。その後、ＩＭ３の検出が行われる。その他の構成及び動作は、第１の実施の形態と同様なので説明は省略する。
【００９３】
次に第４の実施の形態の伝送装置２０−４に関する具体的な構成例及び動作について説明する。図１３、図１４は第４の実施の形態の伝送装置２０−４の構成例を示す図である。
【００９４】
伝送装置２０−４は、図１０で上述した伝送装置２０−１に対し、ＲＦ受信制御部２３内部に、あらたに無線変調多値数抽出部２３ｃを設け、さらに最適変調多値数決定部２５ａ内部に、あらたに劣化量判断部２５ａ−４、しきい値格納メモリ２５ａ−３が設けられる。その他の構成要素は伝送装置２０−１と同様である。
【００９５】
ここで、ＰＩＮフォトダイオード２１ａは、受信光信号のＯ／Ｅ変換を行う。ＦＦＴ演算処理回路２３ａ−１は、受信光信号を高速フーリエ変換演算し、周波数スペクトル成分を算出する。ＩＭ３成分計算処理回路２３ａ−２は、全帯域中央の周波数ｆｍに関するＩＭ３の電力スペクトル値Ｄを算出する。
【００９６】
無線変調多値数抽出部２３ｃは、無線伝送路区間の伝搬特性等から、無線伝送路区間のみを考慮した場合の変調多値数を選び出す（無線変調多値数抽出部２３ｃの技術としては、例えば、特開平７−２５０１１６号公報記載の技術が適用可能である）。
【００９７】
伝送路容量計算処理回路２３ｂ−１は，ＩＭ３の電力スペクトル値Ｄをもとに、ＱＡＭ変調多値数に対する全体伝送路容量Ｃｔを算出する。最適光変調度計算処理回路２３ｂ−２は、ＩＭ３の電力スペクトル値Ｄをもとに、最適光変調度ｍoptを算出する。
【００９８】
パラメータ格納メモリ２３ｂ−３は、ベースバンド信号処理部２４から渡された計算に必要な各種パラメータを格納し、伝送路容量計算処理回路２３ｂ−１及び最適光変調度計算処理回路２３ｂ−２へ出力する。レジスタ２３ｂ−１ａは、伝送路容量計算処理回路２３ｂ−１の計算結果を保持し、レジスタ２３ｂ−２ａは、最適光変調度計算処理回路２３ｂ−２の計算結果を保持する。
【００９９】
ＲＦ直交復調回路２２ａは、２ｎ値のＱＡＭ変調された受信電気信号を直交復調し、ベースバンド信号を生成し、ベースバンド信号処理部２４へ送信する。
対応テーブル格納メモリ２５ａ−１は、レジスタ２３ｂ−１ａで保持された全体伝送路容量Ｃｔを受け取り、変調多値数と全体伝送路容量Ｃｔとの対応テーブルを記憶する。
【０１００】
しきい値格納メモリ２５ａ−３は、伝送路容量劣化の規定劣化量Δを格納する。劣化量判断部２５ａ−４は、対応テーブルを用いて、全体伝送路容量の差分（Ｃｔmax−Ｃｔｒ）と、規定劣化量Δを比較し判定する。セレクタ２５ａ−２は、比較判定結果を受けて、最適変調多値数を決定して、多値ＱＡＭ変調回路２５ｂ−１へ出力する。
【０１０１】
多値ＱＡＭ変調回路２５ｂ−１は、ベースバンド信号処理部２４から送信された送信データを、最適変調多値数で変調してＲＦ変調信号を生成する。
バイアス電流調整回路２６ａは、最適光変調度ｍoptにもとづいて、このｍoptを維持できるようにバイアス電流値を調整する。バイアス印加部２６ｂは、ＲＦ変調信号にバイアス電流を印加してＬＤ駆動信号を生成する。ＬＤ２６ｃは、ＬＤ駆動信号にもとづきＲＦ光変調信号を生成し送信する。
【０１０２】
以上説明したように，本発明によれば、ＲＯＦのシステム内のＩＭ３発生量変化に柔軟に対応して、最適な変調多値数を決定し、制御局２から無線端末４間での全体伝送路容量を最大化して、高品質な通信を行うことが可能になる。
【０１０３】
なお、上記に示した実施の形態に対して、各実施の形態を任意に組み合わせて伝送装置を構成することができる。例えば、モニタ用ＰＤ２６ｄからの電気信号Ｅ１からＩＭ３を検出する第２の実施の形態と、全体伝送路容量の差分値を規定劣化量と比較して最適変調多値数を決定する第４の実施の形態と、を組み合わせて伝送装置を構成してもよい。
【０１０４】
（付記１）  無線による情報を光ファイバで伝送する伝送システムにおいて、光ファイバ伝送路を通じて送信された光信号を受信し、光／電気変換して、フォトカレントＲＦ信号を生成する光信号受信部と、前記フォトカレントＲＦ信号を復調してベースバンド帯域に周波数変換してベースバンド信号を生成するＲＦ復調部と、前記フォトカレントＲＦ信号から周波数毎のスペクトルを算出し、全帯域中央に位置する周波数のスペクトルから、相互変調歪の歪成分情報を検出する相互変調歪検出部と、前記歪成分情報にもとづき評価関数を演算し、最適光変調度と、変調多値数毎に、光ファイバ伝送路と無線伝送路を含めた全体伝送路容量とを算出する評価関数演算部と、から構成されるＲＦ受信制御部と、前記ベースバンド信号を処理し、送信データを生成し、評価関数演算時に必要なパラメータ値を出力するベースバンド信号処理部と、前記全体伝送路容量の最大値をとる最適変調多値数を決定する最適変調多値数決定部と、前記最適変調多値数を用いて、前記送信データにＲＦ変調を行ってＲＦ変調信号を生成するＲＦ変調部と、から構成されるＲＦ送信制御部と、前記最適光変調度を用いて、前記ＲＦ変調信号の電気／光変換を制御して、ＲＦ変調光信号を生成し送信する光信号送信部と、から構成される伝送装置と、
無線信号を受信する無線受信部と、前記伝送装置で決定された変調多値数でベースバンド信号を変調して端末側ＲＦ変調信号を生成し、無線送信する無線送信部と、から構成される無線端末と、
前記無線端末と無線伝送路で接続し、前記伝送装置と光ファイバ伝送路で接続して、前記無線端末と前記伝送装置間の中継伝送を行う中継装置と、
を有することを特徴とする伝送システム。
【０１０５】
（付記２）  前記相互変調歪検出部は、相互変調歪の前記歪成分情報として、加入者に割り当てた全帯域に対し、全帯域中央の位置の周波数に残留する、３トーンで形成される３次相互変調歪の歪成分情報を検出することを特徴とする付記１記載の伝送システム。
【０１０６】
（付記３）  前記相互変調歪検出部は、前記フォトカレントＲＦ信号の代わりに、前記ＲＦ変調光信号を電気に変換した電気信号または前記ＲＦ変調信号から、相互変調歪の前記歪成分情報を検出することを特徴とする付記１記載の伝送システム。
【０１０７】
（付記４）  前記フォトカレントＲＦ信号から、無線伝送路区間のみの変調多値数である無線変調多値数を算出して抽出する無線変調多値数抽出部をさらに有し、前記最適変調多値数決定部は、算出した全体伝送路容量と変調多値数とのテーブルを作成し、最大値となる全体伝送路容量をＣｔmax、前記テーブル上で前記無線変調多値数の値に対応する現在の全体伝送路容量をＣｔｒ、規定劣化量をΔとした場合に、Ｃｔmax−Ｃｔｒ＞Δの場合は、全体伝送路容量Ｃｔmaxに対応する変調多値数を最適変調多値数とし、Ｃｔmax−Ｃｔｒ≦Δの場合は、現在の全体伝送路容量Ｃｔｒに対応する変調多値数を最適変調多値数とすることを特徴とする付記１記載の伝送システム。
【０１０８】
（付記５）  無線による情報を光ファイバで伝送する伝送装置において、
光ファイバ伝送路を通じて送信された光信号を受信し、光／電気変換して、フォトカレントＲＦ信号を生成する光信号受信部と、
前記フォトカレントＲＦ信号を復調してベースバンド帯域に周波数変換してベースバンド信号を生成するＲＦ復調部と、
前記フォトカレントＲＦ信号から周波数毎のスペクトルを算出し、全帯域中央に位置する周波数のスペクトルから、相互変調歪の歪成分情報を検出する相互変調歪検出部と、前記歪成分情報にもとづき評価関数を演算し、最適光変調度と、変調多値数毎に、光ファイバ伝送路と無線伝送路を含めた全体伝送路容量とを算出する評価関数演算部と、から構成されるＲＦ受信制御部と、
前記ベースバンド信号を処理し、送信データを生成し、評価関数演算時に必要なパラメータ値を出力するベースバンド信号処理部と、
前記全体伝送路容量の最大値をとる最適変調多値数を決定する最適変調多値数決定部と、前記最適変調多値数を用いて、前記送信データにＲＦ変調を行ってＲＦ変調信号を生成するＲＦ変調部と、から構成されるＲＦ送信制御部と、
前記最適光変調度を用いて、前記ＲＦ変調信号の電気／光変換を制御して、ＲＦ変調光信号を生成し送信する光信号送信部と、
を有することを特徴とする伝送装置。
【０１０９】
（付記６）  前記相互変調歪検出部は、相互変調歪の前記歪成分情報として、加入者に割り当てた全帯域に対し、全帯域中央の位置の周波数に残留する、３トーンで形成される３次相互変調歪の歪成分情報を検出することを特徴とする付記５記載の伝送装置。
【０１１０】
（付記７）  前記相互変調歪検出部は、前記フォトカレントＲＦ信号の代わりに、前記ＲＦ変調光信号を電気に変換した電気信号または前記ＲＦ変調信号から、相互変調歪の前記歪成分情報を検出することを特徴とする付記５記載の伝送装置。
【０１１１】
（付記８）  前記フォトカレントＲＦ信号から、無線伝送路区間のみの変調多値数である無線変調多値数を算出して抽出する無線変調多値数抽出部をさらに有し、前記最適変調多値数決定部は、算出した全体伝送路容量と変調多値数とのテーブルを作成し、最大値となる全体伝送路容量をＣｔmax、前記テーブル上で前記無線変調多値数の値に対応する現在の全体伝送路容量をＣｔｒ、規定劣化量をΔとした場合に、Ｃｔmax−Ｃｔｒ＞Δの場合は、全体伝送路容量Ｃｔmaxに対応する変調多値数を最適変調多値数とし、Ｃｔmax−Ｃｔｒ≦Δの場合は、現在の全体伝送路容量Ｃｔｒに対応する変調多値数を最適変調多値数とすることを特徴とする付記５記載の伝送装置。
【０１１２】
（付記９）  無線通信を行う無線端末において、
無線信号を受信する無線受信部と、
局側に設置された伝送装置で決定された変調多値数でベースバンド信号を変調して端末側ＲＦ変調信号を生成し、無線送信する無線送信部と、
を有することを特徴とする無線端末。
【０１１３】
（付記１０）  信号受信制御を行うＲＦ受信装置において、
光ファイバ伝送路を通じて送信された光信号を受信し、光／電気変換して、フォトカレントＲＦ信号を生成する光信号受信部と、
前記フォトカレントＲＦ信号から周波数毎のスペクトルを算出し、全帯域中央に位置する周波数のスペクトルから、相互変調歪の歪成分情報を検出する相互変調歪検出部と、
前記歪成分情報にもとづき評価関数を演算し、最適光変調度と、変調多値数毎に、光ファイバ伝送路と無線伝送路を含めた全体伝送路容量とを算出する評価関数演算部と、
を有することを特徴とするＲＦ受信装置。
【０１１４】
（付記１１）  信号送信制御を行うＲＦ送信装置において、
評価関数演算時に求めた、光ファイバ伝送路と無線伝送路を含めた全体伝送路容量に対する最大値をとる最適変調多値数を決定する最適変調多値数決定部と、前記最適変調多値数を用いて、送信データにＲＦ変調を行ってＲＦ変調信号を生成するＲＦ変調部と、
評価関数演算時に求めた最適光変調度を用いて、前記ＲＦ変調信号の電気／光変換を制御して、ＲＦ変調光信号を生成し送信する光信号送信部と、
を有することを特徴とするＲＦ送信装置。
【０１１５】
【発明の効果】
以上説明したように、本発明の伝送システムは、伝送装置では、相互変調歪の歪成分情報から、最適光変調度と、光ファイバ伝送路と無線伝送路を含めた全体伝送路容量とを算出して、全体伝送路容量の最大値をとる最適変調多値数を決定する。そして、最適変調多値数を用いてＲＦ変調信号を生成し、最適光変調度を用いて、ＲＦ変調信号の電気／光変換の制御をして、ＲＦ変調光信号を生成し送信する。また、無線端末では、伝送装置で決定された変調多値数でベースバンド信号を変調して端末側ＲＦ変調信号を生成する構成とした。これにより、相互変調歪の動的変化に合わせて、最適な変調多値数が決定され、制御局から無線端末間での全体伝送路容量を最大化できるので、高品質な通信を行うことが可能になる。
【図面の簡単な説明】
【図１】本発明の伝送システムの原理図である。
【図２】サブキャリアに対するＩＭ３の発生イメージを示す図である。
【図３】伝送路容量と変調多値数の関係を示す図である。
【図４】第１の実施の形態の伝送装置の動作を説明するための図である。
【図５】ＬＤ入出力特性曲線を示す図である。
【図６】第２の実施の形態の伝送装置の構成を示す図である。
【図７】第３の実施の形態の伝送装置の構成を示す図である。
【図８】第４の実施の形態の伝送装置の構成を示す図である。
【図９】無線端末の構成を示す図である。
【図１０】第１の実施の形態の伝送装置の構成例を示す図である。
【図１１】第２の実施の形態の伝送装置の構成例を示す図である。
【図１２】第３の実施の形態の伝送装置の構成例を示す図である。
【図１３】第４の実施の形態の伝送装置の構成例を示す図である。
【図１４】第４の実施の形態の伝送装置の構成例を示す図である。
【図１５】ＲＯＦシステムの全体構成を示す図である。
【符号の説明】
１  伝送システム
２  制御局
３  基地局
４  無線端末
５  ネットワーク
２０  伝送装置
２１  光信号受信部
２２  ＲＦ復調部
２３  ＲＦ受信制御部
２３ａ  相互変調歪検出部
２３ｂ  評価関数演算部
２４  ベースバンド信号処理部
２５  ＲＦ送信制御部
２５ａ  最適変調多値数決定部
２５ｂ  ＲＦ変調部
２６  光信号送信部
３０  中継装置
４１  無線受信部
４２  無線送信部
Ｃｔ  全体伝送路容量
ｍopt  最適光変調度
【図１】
0003798314.tif 000008
【図２】
0003798314.tif 000009
【図３】
0003798314.tif 000010
【図４】
0003798314.tif 000011
【図５】
0003798314.tif 000012
【図６】
0003798314.tif 000013
【図７】
0003798314.tif 000014
【図８】
0003798314.tif 000015
【図９】
0003798314.tif 000016
【図１０】
0003798314.tif 000017
【図１１】
0003798314.tif 000018
【図１２】
0003798314.tif 000019
【図１３】
0003798314.tif 000020
【図１４】
0003798314.tif 000021
【図１５】
0003798314.tif 000022